(57)【要約】【課題】本発明は、ラベル基材と粘着剤と台紙とが積層された通常のラベルを用いても、荷物に貼付した後に取り扱いが容易な状態で受領票を切り離すことができると共に、荷物に貼付する際に剥離した台紙を破棄する必要がない配送伝票を発行することができる配送伝票用ラベルを提供することを課題とする。【解決手段】幅方向に形成されている第１切り離し加工線２１および第２切り離し加工線３１によって、ラベルを貼付票貼付領域２ａと受領票切り離し領域３ａと受領票貼付領域３ｂとに分割すると共に、第１折り返し加工線１２および第２折り返し加工線１３によって、台紙１を第１折り返し領域１ａと第２被仮着領域１ｃと第２折り返し領域１ｄとに分割し、第１折り返し領域１ａの長さおよび第２折り返し領域１ｄの長さを、それぞれ第１折り返し加工線１２から第２折り返し加工線１３までの長さよりも短く設定する。【選択図】        図６
2008183749.tif 000002
【特許請求の範囲】
【請求項１】
裏面に粘着剤が塗布されたラベルが台紙に仮着されている配送伝票用ラベルであって、
前記ラベルは、幅方向に形成されている第１切り離し加工線および第２切り離し加工線によって、先端から前記第１切り離し加工線までの第１貼付領域と、前記第１切り離し加工線から前記第２切り離し加工線までの切り離し領域と、前記第２切り離し加工線から後端までの第２貼付領域とに分割されていると共に、
前記台紙は、前記ラベルに形成された前記第１切り離し加工線および前記第２切り離し加工線と同じ位置に形成されている第１折り返し加工線および第２折り返し加工線によって、先端から前記第１折り返し加工線までの第１折り返し領域と、前記第１折り返し加工線から前記第２折り返し加工線までの被仮着領域と、前記第２折り返し加工線から後端までの第２折り返し領域とに分割されており、
前記第１折り返し領域の長さおよび前記第２折り返し領域の長さは、それぞれ前記第１折り返し加工線から前記第２折り返し加工線までの長さよりも短く設定されていることを特徴とする配送伝票用ラベル。
【請求項２】
前記ラベルは、前記台紙に間隔をおいて仮着された第１ラベルおよび第２ラベルからなり、
前記第１ラベルは、前記第１切り離し加工線によって、先端から前記第１切り離し加工線までの前記第１貼付領域と、前記第１切り離し加工線から後端までの第１切り離し領域とに分割されていると共に、
前記第２ラベルは、前記第２切り離し加工線によって、先端から前記第２切り離し加工線までの第２切り離し領域と、前記第２切り離し加工線から後端までの前記第２貼付領域とに分割されており、
前記台紙には、前記第１ラベルと前記第２ラベルとの間に第３切り離し加工線が形成されていることを特徴とする請求項１記載の配送伝票用ラベル。
【請求項３】
前記第１折り返し領域の長さと前記第２折り返し領域との合計の長さは、前記第１折り返し加工線から前記第２折り返し加工線までの長さ以下に設定されていることを特徴とする請求項１又は２記載の配送伝票用ラベル。
【発明の詳細な説明】
【技術分野】
【０００１】
本発明は、荷物の配送に用いる配送伝票用ラベルに関し、特に配送情報ならびに配送後の受領確認を得られるようにした配送伝票用ラベルに関するものである。
【背景技術】
【０００２】
近年、荷物の配送に用いる配送伝票として、荷物へ貼着する配送票と受領票とを積層状態に貼着して、上層の受領票を剥離可能かつその接着面の接着力がなくなるように構成した疑似三層ラベルと称される配送伝票ラベルが提案されている（例えば、特許文献１参照）。このような配送伝票ラベルは、上層から順に、受領票と、二層からなる樹脂層と、配送票と、粘着剤と、台紙とが積層され、受領票を配送票から剥離すると、受領票の樹脂層の接着力がなくなるようになっており、受領票に印字された情報が配送票に転写されるように構成されている。
【０００３】
しかしながら、従来技術では、受領票と配送票との間に樹脂層を設けることによって受領票を剥離可能に構成しているが、ラベル基材と粘着剤と台紙とが積層された通常のラベルに比べてコスト高になってしまうと共に、荷物に貼付する際に剥離した台紙がゴミになってしまい、貼付作業が面倒なものになってしまうという問題点があった。
【０００４】
【特許文献１】特開平８−３６３５９号公報
【発明の開示】
【発明が解決しようとする課題】
【０００５】
本発明は斯かる問題点に鑑みてなされたものであり、その目的とするところは、ラベル基材と粘着剤と台紙とが積層された通常のラベルを用いても、荷物に貼付した後に取り扱いが容易な状態で受領票を切り離すことができると共に、荷物に貼付する際に剥離した台紙を破棄する必要がない配送伝票を発行することができる配送伝票用ラベルを提供する点にある。
【課題を解決するための手段】
【０００６】
本発明は上記課題を解決すべく、以下に掲げる構成とした。
請求項１記載の発明の要旨は、裏面に粘着剤が塗布されたラベルが台紙に仮着されている配送伝票用ラベルであって、前記ラベルは、幅方向に形成されている第１切り離し加工線および第２切り離し加工線によって、先端から前記第１切り離し加工線までの第１貼付領域と、前記第１切り離し加工線から前記第２切り離し加工線までの切り離し領域と、前記第２切り離し加工線から後端までの第２貼付領域とに分割されていると共に、前記台紙は、前記ラベルに形成された前記第１切り離し加工線および前記第２切り離し加工線と同じ位置に形成されている第１折り返し加工線および第２折り返し加工線によって、先端から前記第１折り返し加工線までの第１折り返し領域と、前記第１折り返し加工線から前記第２折り返し加工線までの被仮着領域と、前記第２折り返し加工線から後端までの第２折り返し領域とに分割されており、前記第１折り返し領域の長さおよび前記第２折り返し領域の長さは、それぞれ前記第１折り返し加工線から前記第２折り返し加工線までの長さよりも短く設定されていることを特徴とする配送伝票用ラベルに存する。
また請求項２記載の発明の要旨は、前記ラベルは、前記台紙に間隔をおいて仮着された第１ラベルおよび第２ラベルからなり、前記第１ラベルは、前記第１切り離し加工線によって、先端から前記第１切り離し加工線までの前記第１貼付領域と、前記第１切り離し加工線から後端までの第１切り離し領域とに分割されていると共に、前記第２ラベルは、前記第２切り離し加工線によって、先端から前記第２切り離し加工線までの第２切り離し領域と、前記第２切り離し加工線から後端までの前記第２貼付領域とに分割されており、前記台紙には、前記第１ラベルと前記第２ラベルとの間に第３切り離し加工線が形成されていることを特徴とする請求項１記載の配送伝票用ラベルに存する。
また請求項２記載の発明の要旨は、前記第１折り返し領域の長さと前記第２折り返し領域との合計の長さは、前記第１折り返し加工線から前記第２折り返し加工線までの長さ以下に設定されていることを特徴とする請求項１又は２記載の配送伝票用ラベルに存する。
【発明の効果】
【０００７】
本発明の配送伝票用ラベルは、幅方向に形成されている第１切り離し加工線および第２切り離し加工線によって、ラベルを先端から第１切り離し加工線までの第１貼付領域と、第１切り離し加工線から第２切り離し加工線までの切り離し領域と、第２切り離し加工線から後端までの第２貼付領域とに分割すると共に、ラベルに形成された第１切り離し加工線および第２切り離し加工線と同じ位置に形成されている第１折り返し加工線および第２折り返し加工線によって、台紙を先端から第１折り返し加工線までの第１折り返し領域と、第１折り返し加工線から第２折り返し加工線までの被仮着領域と、第２折り返し加工線から後端までの第２折り返し領域とに分割し、第１折り返し領域の長さおよび第２折り返し領域の長さを、それぞれ第１折り返し加工線から第２折り返し加工線までの長さよりも短く設定することにより、第１貼付領域に配送票として配送情報を印字すると共に、切り離し領域に受領票として配送情報と受領印欄とを印字し、第１折り返し領域を第１貼付領域の裏面から剥離し、第１折り返し加工線で折り返して第１貼付領域の粘着剤が塗布された裏面を露出させると共に、第２折り返し領域を第２貼付領域の裏面から剥離し、第２折り返し加工線で折り返して第２貼付領域の粘着剤が塗布された裏面を露出させ、第１貼付領域の粘着剤が塗布された裏面と、第２貼付領域の粘着剤が塗布された裏面とを用いて荷物に貼付することで、第１切り離し加工線および第２切り離し加工線を破断させて、受領票として配送情報と受領印欄とが印字された切り離し領域を台紙に仮着された状態で簡単に切り離すことができるため、ラベル基材と粘着剤と台紙とが積層された通常のラベルを用いても、荷物に貼付した後に取り扱いが容易な状態で受領票を切り離すことができると共に、荷物に貼付する際に剥離した第１折り返し領域および第２折り返し領域を破棄する必要がない配送伝票を発行することができるという効果を奏する。
【０００８】
さらに、本発明の配送伝票用ラベルは、ラベルを台紙に間隔をおいて仮着された第１ラベルおよび第２ラベルで構成し、第１切り離し加工線によって、第１ラベルを先端から第１切り離し加工線までの第１貼付領域と、第１切り離し加工線から後端までの第１切り離し領域とに分割すると共に、第２切り離し加工線によって、第２ラベルを先端から第２切り離し加工線までの第２切り離し領域と、第２切り離し加工線から後端までの第２貼付領域とに分割し、台紙の第１ラベルと第２ラベルとの間に第３切り離し加工線を形成することにより、第２切り離し領域に受領票として配送情報と受領印欄とを印字すると共に、第１切り離し領域にも配送情報等を印字することで、第１切り離し加工線および第２切り離し加工線を破断させて、第１切り離し領域および第２切り離し領域を台紙に仮着された状態で切り離した後に、第３切り離し加工線を破断させることにより、第２切り離し領域を受領票として使用や保管すると共に、第１切り離し領域を受領票の控えとして用いることができるという効果を奏する。
【０００９】
さらに、本発明の配送伝票用ラベルは、第１折り返し領域の長さと第２折り返し領域との合計の長さを、第１折り返し加工線から第２折り返し加工線までの長さ以下に設定することにより、折り返した第１折り返し領域および第２折り返し領域が互いに重なることがないため、荷物に貼付した際の厚みを抑えることができるという効果を奏する。
【発明を実施するための最良の形態】
【００１０】
以下、本発明の実施の形態を図面に基づいて詳細に説明する。
【００１１】
（第１の実施の形態）
図１は、本発明に係る配送伝票用ラベルの第１の実施の形態の構成を示す図であり、（ａ）は、表面図であり、（ｂ）は、裏面図である。
【００１２】
第１の実施の形態の配送伝票用ラベルは、図１を参照すると、台紙１の長さ方向に、荷物に貼付して用いる配送票として用いられる貼付票用ラベル２と、荷物の受領確認を行う受領票として用いられる受領票用ラベル３とが間隔をおいて、貼付票用ラベル２および受領票用ラベル３の裏面に塗布された粘着剤によって仮着されている。図１（ａ）に示すように、貼付票用ラベル２には、貼付票用ラベル２を貼付票貼付領域２ａと貼付票切り離し領域２ｂとに分割する第１切り離し加工線２１が幅方向に形成されていると共に、受領票用ラベル３には、受領票用ラベル３を受領票切り離し領域３ａと受領票貼付領域３ｂとに分割する第２切り離し加工線３１が幅方向に形成されている。なお、台紙１に貼付票用ラベル２および受領票用ラベル３が仮着されている方向（図１における上下方向）を長さ方向と称し、当該縦方向に直交する方向（図１における左右方向）を幅方向と称す。また、第１切り離し加工線２１および第２切り離し加工線３１と称した切り離し加工線は、等間隔、周期的もしくはランダムに、厚みの全部もしくは一部に施されているミシン目等の切り込みであり、切り離し加工線を挟んだそれぞれの部位に対してそれぞれ異なる方向に力が加わると簡単に破断されるようになっている。
【００１３】
台紙１の少なくとも一方面には、シリコーン加工等の剥離加工が施されており、剥離加工が施された面に、貼付票用ラベル２および受領票用ラベル３が裏面に塗布された粘着剤によって仮着されている。なお、台紙１には、紙基材やフィルム基材等の任意基材を用いることができる。また、台紙１には、図１（ｂ）を参照すると、貼付票用ラベル２が仮着されている領域と、受領票用ラベル３が仮着されている領域とに分割する第３切り離し加工線１１が幅方向に形成されている。また、貼付票用ラベル２が仮着されている領域には、貼付票用ラベル２に形成されている第１切り離し加工線２１と同じ位置に第１折り返し加工線１２が幅方向に形成されており、先端から第１折り返し加工線１２までの第１折り返し領域１ａと、第１折り返し加工線１２から第３切り離し加工線１１までの第１被仮着領域１ｂとに分割されている。さらに、受領票用ラベル３が仮着されている領域には、受領票用ラベル３に形成されている第２切り離し加工線３１と同じ位置に第２折り返し加工線１３が幅方向に形成されており、第３切り離し加工線１１から第２折り返し加工線１３までの第２被仮着領域１ｃと、第２折り返し加工線１３から後端までの第２折り返し領域１ｄとに分割されている。なお、第３切り離し加工線１１と称した切り離し加工線は、等間隔、周期的もしくはランダムに、厚みの全部もしくは一部に施されているミシン目等の切り込みであり、切り離し加工線を挟んだそれぞれの部位に対してそれぞれ異なる方向に力が加わると簡単に破断されるようになっている。また、第１折り返し加工線１２および第２折り返し加工線１３と称した折り返し加工線は、切り離し加工線と同様に等間隔、周期的もしくはランダムに、厚みの全部もしくは一部に施されているミシン目等の切り込みであり、折り返し加工線を挟んだそれぞれの部位を折り返すと折り返し加工線で簡単に折り返すことができるようになっている。
【００１４】
先端から第１折り返し加工線１２までの第１折り返し領域１ａの長さＡは、第１折り返し加工線１２から第２折り返し加工線１３までの長さＢ＋Ｃよりも短く設定されており、第１折り返し領域１ａを第１折り返し加工線１２で折り返した際に、第１折り返し領域１ａが第１被仮着領域１ｂおよび第２被仮着領域１ｃ内に収まるようになっている。また、第２折り返し加工線１３から後端までの第２折り返し領域１ｄの長さＤも、第１折り返し加工線１２から第２折り返し加工線１３までの長さＢ＋Ｃよりも短く設定されており、第２折り返し領域１ｄを第２折り返し加工線１３で折り返した際に、第１折り返し領域１ａが第１被仮着領域１ｂおよび第２被仮着領域１ｃ内に収まるようになっている。
【００１５】
貼付票用ラベル２は、紙基材やフィルム基材等の任意基材を用いることができ、貼付票用ラベル２の表面は、配送票を印字する表示部として用いられ、受領票用ラベル３は、紙基材やフィルム基材等の任意基材を用いることができ、受領票用ラベル３の表面は、受領票を印字する表示部として用いられる。
【００１６】
次に、第１の実施の形態の使用方法について図２乃至図４を参照して詳細に説明する。
図２は、図１に示す貼付票ラベルおよび受領票ラベルに印字が施された状態を示す表面図であり、図３は、本発明に係る配送伝票用ラベルの第１の実施の形態における貼付動作を説明する説明図であり、（ａ）は、表面図であり、（ｂ）は、側面図であり、（ｃ）は、裏面図である。図４は、本発明に係る配送伝票用ラベルの第１の実施の形態における受領票切り離し動作を説明する説明図であり、（ａ）は、受領票切り離し動作における荷物に貼付されたままとなる貼付票の表面図であり、（ｂ）は、切り離した受領票の表面図であり、（ｃ）は、切り離した受領票の側面図である。図５は、本発明に係る配送伝票用ラベルの第１の実施の形態の複数個口に対応する構成例を示す表面図である。
【００１７】
まず、図示しないプリンタを用いて、図２に示すように、届け先、出荷主、納品指定日、問合番号等の配送情報を貼付票用ラベル２の貼付票貼付領域２ａに印字すると共に、配送情報と受領印欄とを受領票用ラベル３の受領票切り離し領域３ａに印字することで第１の実施の形態の配送伝票用ラベルを配送伝票として発行する。なお、貼付票用ラベル２および受領票用ラベル３に印字する配送情報は、任意に設定することができる。また、第１の実施の形態では、貼付票用ラベル２および受領票用ラベル３を無地とし、図示しないプリンタを用いて、枠等の定型フォーマットを印字するように構成したが、予め定型フォーマットを貼付票用ラベル２および受領票用ラベル３に印刷しておくようにしても良い。
【００１８】
次に、図３に示すように、先端から第１折り返し加工線１２までの第１折り返し領域１ａを貼付票用ラベル２の裏面から剥離し、第１折り返し加工線１２で折り返して、貼付票用ラベル２における貼付票貼付領域２ａの粘着剤が塗布された裏面を露出させると共に、第２折り返し加工線１３から後端までの第２折り返し領域１ｄを受領票用ラベル３の裏面から剥離し、第２折り返し加工線１３で折り返して、受領票用ラベル３における受領票貼付領域３ｂの粘着剤が塗布された裏面を露出させ、貼付票貼付領域２ａの粘着剤が塗布された裏面と、受領票貼付領域３ｂの粘着剤が塗布された裏面とを用いて荷物１０に貼付して荷物１０を配送する。第１折り返し領域１ａの長さＡは、第１折り返し加工線１２から第２折り返し加工線１３までの長さＢ＋Ｃよりも短く設定されていると共に、第２折り返し加工線１３から後端までの第２折り返し領域１ｄの長さＤも、第１折り返し加工線１２から第２折り返し加工線１３までの長さＢ＋Ｃよりも短く設定されているため、折り返された第１折り返し領域１ａおよび第２折り返し領域１ｄは、第１被仮着領域１ｂおよび第２被仮着領域１ｃ内に収まった状態で荷物１０に貼付され、折り返された第１折り返し領域１ａおよび第２折り返し領域１ｄによって、貼付票貼付領域２ａの粘着剤が塗布された裏面および受領票貼付領域３ｂの粘着剤が塗布された裏面が妨げられることなく、確実に荷物１０に貼付することができ、さらに、第１折り返し領域１ａおよび第２折り返し領域１ｄの粘着剤が塗布された裏面からそれぞれ剥離した第１折り返し領域１ａおよび第２折り返し領域１ｄがゴミにならない。なお、第１折り返し領域１ａの長さＡ＋第２折り返し領域１ｄの長さＤを、第１折り返し加工線１２から第２折り返し加工線１３までの長さＢ＋Ｃと同じか短く設定すると、折り返した第１折り返し領域１ａおよび第２折り返し領域１ｄが互いに重なることがないため、荷物１０に貼付した際の厚みを抑えることができ、さらに好適である。
【００１９】
次に、届け先に荷物１０を届けると、受領票用ラベル３の受領票切り離し領域３ａに印字された受領印欄に受領したことを示す印やサインを荷受人から貰い、第１切り離し加工線２１と第２切り離し加工線３１とを切り離し、図４（ａ）に示すように、貼付票貼付領域２ａおよび受領票貼付領域３ｂとを荷物１０に貼付された状態で残し、図４（ｂ）、（ｃ）に示すように、台紙１に仮着された状態の貼付票切り離し領域２ｂおよび受領票切り離し領域３ａを受領票として持ち帰る。
【００２０】
持ち帰った受領票は、そのままの状態、すなわち第１折り返し加工線１２および第２折り返し加工線１３で第１折り返し領域１ａおよび第２折り返し領域１ｄをそれぞれ折り返した台紙１の第１被仮着領域１ｂおよび第２被仮着領域１ｃに貼付票切り離し領域２ｂおよび受領票切り離し領域３ａが仮着された状態で使用や保管するようにしても良く、第１折り返し加工線１２および第２折り返し加工線１３で第１折り返し領域１ａおよび第２折り返し領域１ｄをそれぞれ切り離したり、第３切り離し加工線１１で第１被仮着領域１ｂに仮着された貼付票切り離し領域２ｂを切り離したりした状態で使用や保管するようにしても良い。また、受領票切り離し領域３ａを台紙１から剥がして他のシートに貼付することもできる。なお、図２乃至図４に示す例では、貼付票切り離し領域２ｂには、情報を印字しないように構成したが、貼付票切り離し領域２ｂの面積が広い場合には、配送情報等を印字することで受領票の控えとして用いることができる。
【００２１】
なお、第１の実施の形態では、配送票として荷物１０に貼付される貼付票と受領票とが一対になっている１個口（荷物１０が１個）用の配送伝票用ラベルについて説明したが、図５に示すように、個口数に対応した数の貼付票用ラベル２を長さ方向に連続して設けると共に、受領票用ラベル３は、兼用することで、複数個口（荷物１０が複数）に対応することができる。
【００２２】
また、第１の実施の形態では、配送票として荷物１０に貼付される貼付票と受領票とが一対になっている単票の配送伝票用ラベルについて説明したが、切り離し加工線を挟んで配送伝票用ラベルを長さ方向に連続して形成し、ロール状や折り畳んだ状態で提供するようにしても良い。
【００２３】
（第２の実施の形態）
図６は、本発明に係る配送伝票用ラベルの第２の実施の形態の構成を示す図であり、（ａ）は、表面図であり、（ｂ）は、裏面図である。
【００２４】
第２の実施の形態の配送伝票用ラベルは、図６を参照すると、第１の実施の形態の貼付票用ラベル２および受領票用ラベル３として兼用ラベル４を用いる点が第１の実施の形態と異なっており、第１の実施の形態で台紙１に形成されている第３切り離し加工線１１が省略されている。
【００２５】
兼用ラベル４は、幅方向に形成されている第１切り離し加工線２１および第２切り離し加工線３１によって、貼付票貼付領域２ａと受領票切り離し領域３ａと受領票貼付領域３ｂとに分割され、台紙１は、兼用ラベル４に形成されている第１切り離し加工線２１および第２切り離し加工線３１とそれぞれ同じ位置に形成されている第１折り返し加工線１２および第２折り返し加工線１３によって、第１折り返し領域１ａと第２被仮着領域１ｃと第２折り返し領域１ｄとに分割されている。
【００２６】
先端から第１折り返し加工線１２までの第１折り返し領域１ａの長さＡは、第１折り返し加工線１２から第２折り返し加工線１３までの長さＣよりも短く設定されており、第１折り返し領域１ａを第１折り返し加工線１２で折り返した際に、第１折り返し領域１ａが第２被仮着領域１ｃ内に収まるようになっている。また、第２折り返し加工線１３から後端までの第２折り返し領域１ｄの長さＤも、第１折り返し加工線１２から第２折り返し加工線１３までの長さＣよりも短く設定されており、第２折り返し領域１ｄを第２折り返し加工線１３で折り返した際に、第１折り返し領域１ａが第２被仮着領域１ｃ内に収まるようになっている。
【００２７】
兼用ラベル４は、紙基材やフィルム基材等の任意基材を用いることができ、貼付票貼付領域２ａは、配送票を印字する表示部として用いられ、受領票切り離し領域３ａは、受領票を印字する表示部として用いられる。
【００２８】
次に、第２の実施の形態の使用方法について図７乃至図９を参照して詳細に説明する。
図７は、図１に示す貼付票ラベルおよび受領票ラベルに印字が施された状態を示す表面図であり、図８は、本発明に係る配送伝票用ラベルの第２の実施の形態における貼付動作を説明する説明図であり、（ａ）は、表面図であり、（ｂ）は、側面図であり、（ｃ）は、裏面図である。図９は、本発明に係る配送伝票用ラベルの第２の実施の形態における受領票切り離し動作を説明する説明図であり、（ａ）は、受領票切り離し動作における荷物に貼付されたままとなる貼付票の表面図であり、（ｂ）は、切り離した受領票の表面図であり、（ｃ）は、切り離した受領票の側面図である。
【００２９】
まず、図示しないプリンタを用いて、図７に示すように、届け先、出荷主、納品指定日、問合番号等の配送情報を貼付票用ラベル２の貼付票貼付領域２ａに印字すると共に、配送情報と受領印欄とを受領票用ラベル３の受領票切り離し領域３ａに印字することで第２の実施の形態の配送伝票用ラベルを配送伝票として発行する。
【００３０】
次に、図８に示すように、先端から第１折り返し加工線１２までの第１折り返し領域１ａを貼付票用ラベル２の裏面から剥離し、第１折り返し加工線１２で折り返して、貼付票用ラベル２における貼付票貼付領域２ａの粘着剤が塗布された裏面を露出させると共に、第２折り返し加工線１３から後端までの第２折り返し領域１ｄを受領票用ラベル３の裏面から剥離し、第２折り返し加工線１３で折り返して、受領票用ラベル３における受領票貼付領域３ｂの粘着剤が塗布された裏面を露出させ、貼付票貼付領域２ａの粘着剤が塗布された裏面と、受領票貼付領域３ｂの粘着剤が塗布された裏面とを用いて荷物１０に貼付して荷物１０を配送する。第１折り返し領域１ａの長さＡは、第１折り返し加工線１２から第２折り返し加工線１３までの長さＣよりも短く設定されていると共に、第２折り返し加工線１３から後端までの第２折り返し領域１ｄの長さＤも、第１折り返し加工線１２から第２折り返し加工線１３までの長さＣよりも短く設定されているため、折り返された第１折り返し領域１ａおよび第２折り返し領域１ｄは、第２被仮着領域１ｃ内に収まった状態で荷物１０に貼付され、折り返された第１折り返し領域１ａおよび第２折り返し領域１ｄによって、貼付票貼付領域２ａの粘着剤が塗布された裏面および受領票貼付領域３ｂの粘着剤が塗布された裏面が妨げられることなく、確実に荷物１０に貼付することができ、さらに、第１折り返し領域１ａおよび第２折り返し領域１ｄの粘着剤が塗布された裏面からそれぞれ剥離した第１折り返し領域１ａおよび第２折り返し領域１ｄがゴミにならない。なお、第１折り返し領域１ａの長さＡ＋第２折り返し領域１ｄの長さＤを、第１折り返し加工線１２から第２折り返し加工線１３までの長さＣと同じか短く設定すると、折り返した第１折り返し領域１ａおよび第２折り返し領域１ｄが互いに重なることがないため、荷物１０に貼付した際の厚みを抑えることができ、さらに好適である。
【００３１】
次に、届け先に荷物１０を届けると、受領票用ラベル３の受領票切り離し領域３ａに印字された受領印欄に受領したことを示す印やサインを貰い、第１切り離し加工線２１と第２切り離し加工線３１とを切り離し、図９（ａ）に示すように、貼付票貼付領域２ａおよび受領票貼付領域３ｂとを荷物１０に貼付された状態で残し、図４（ｂ）、（ｃ）に示すように、台紙１に仮着された状態の受領票切り離し領域３ａを受領票として持ち帰る。
【００３２】
持ち帰った受領票は、そのままの状態、すなわち第１折り返し加工線１２および第２折り返し加工線１３で第１折り返し領域１ａおよび第２折り返し領域１ｄをそれぞれ折り返した台紙１の第２被仮着領域１ｃに受領票切り離し領域３ａが仮着された状態で使用や保管するようにしても良く、第１折り返し加工線１２および第２折り返し加工線１３で第１折り返し領域１ａおよび第２折り返し領域１ｄをそれぞれ切り離した状態で使用や保管するようにしても良い。また、受領票切り離し領域３ａを台紙１から剥がして他のシートに貼付することもできる。
【００３３】
以上説明したように、本実施の形態によれば、幅方向に形成されている第１切り離し加工線２１および第２切り離し加工線３１によって、兼用ラベル４を先端から第１切り離し加工線２１までの貼付票貼付領域２ａと、第１切り離し加工線２１から第２切り離し加工線３１までの受領票切り離し領域３ａと、第２切り離し加工線３１から後端までの受領票貼付領域３ｂとに分割すると共に、兼用ラベル４に形成された第１切り離し加工線２１および第２切り離し加工線３１と同じ位置に形成されている第１折り返し加工線１２および第２折り返し加工線１３によって、台紙１を先端から第１折り返し加工線１２までの第１折り返し領域１ａと、第１折り返し加工線１２から第２折り返し加工線１３までの第２被仮着領域１ｃと、第２折り返し加工線１３から後端までの第２折り返し領域１ｄとに分割し、第１折り返し領域１ａの長さおよび第２折り返し領域１ｄの長さを、それぞれ第１折り返し加工線１２から第２折り返し加工線１３までの長さよりも短く設定することにより、貼付票貼付領域２ａに配送票として配送情報を印字すると共に、受領票切り離し領域３ａに受領票として配送情報と受領印欄とを印字し、第１折り返し領域１ａを貼付票貼付領域２ａの裏面から剥離し、第１折り返し加工線１２で折り返して貼付票貼付領域２ａの粘着剤が塗布された裏面を露出させると共に、第２折り返し領域１ｄを受領票貼付領域３ｂの裏面から剥離し、第２折り返し加工線１３で折り返して受領票貼付領域３ｂの粘着剤が塗布された裏面を露出させ、貼付票貼付領域２ａの粘着剤が塗布された裏面と、受領票貼付領域３ｂの粘着剤が塗布された裏面とを用いて荷物１０に貼付することで、第１切り離し加工線２１および第２切り離し加工線３１を破断させて、受領票として配送情報と受領印欄とが印字された受領票切り離し領域３ａを台紙１に仮着された状態で簡単に切り離すことができるため、ラベル基材と粘着剤と台紙とが積層された通常のラベルを用いても、荷物１０に貼付した後に取り扱いが容易な状態で受領票を切り離すことができると共に、荷物１０に貼付する際に剥離した第１折り返し領域１ａおよび第２折り返し領域１ｄを破棄する必要がない配送伝票を発行することができるという効果を奏する。
【００３４】
さらに、本実施の形態によれば、ラベルを台紙に間隔をおいて仮着された貼付票用ラベル２および受領票用ラベル３で構成し、第１切り離し加工線２１によって、貼付票用ラベル２を先端から第１切り離し加工線２１までの貼付票貼付領域２ａと、第１切り離し加工線２１から後端までの貼付票切り離し領域２ｂとに分割すると共に、第２切り離し加工線３１によって、受領票用ラベル３を先端から第２切り離し加工線３１までの受領票切り離し領域３ａと、第２切り離し加工線３１から後端までの受領票貼付領域３ｂとに分割し、台紙１の貼付票用ラベル２と受領票用ラベル３との間に第３切り離し加工線１１を形成することにより、受領票切り離し領域３ａに受領票として配送情報と受領印欄とを印字すると共に、貼付票切り離し領域２ｂにも配送情報等を印字することで、第１切り離し加工線２１および第２切り離し加工線３１を破断させて、受領票切り離し領域３ａおよび貼付票切り離し領域２ｂを台紙１に仮着された状態で切り離した後に、第３切り離し加工線１１を破断させることにより、受領票切り離し領域３ａを受領票として使用や保管すると共に、貼付票切り離し領域２ｂを受領票の控えとして用いることができるという効果を奏する。
【００３５】
さらに、本実施の形態によれば、第１折り返し領域１ａの長さと第２折り返し領域１ｄとの合計の長さを、第１折り返し加工線１２から第２折り返し加工線１３までの長さ以下に設定することにより、折り返した第１折り返し領域１ａおよび第２折り返し領域１ｄが互いに重なることがないため、荷物１０に貼付した際の厚みを抑えることができるという効果を奏する。
【００３６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３７】
【図１】本発明に係る配送伝票用ラベルの第１の実施の形態の構成を示す図であり、（ａ）は、表面図であり、（ｂ）は、裏面図である。
【図２】図１に示す貼付票ラベルおよび受領票ラベルに印字が施された状態を示す表面図である。
【図３】本発明に係る配送伝票用ラベルの第１の実施の形態における貼付動作を説明する説明図であり、（ａ）は、表面図であり、（ｂ）は、側面図であり、（ｃ）は、裏面図である。
【図４】本発明に係る配送伝票用ラベルの第１の実施の形態における受領票切り離し動作を説明する説明図であり、（ａ）は、受領票切り離し動作における荷物に貼付されたままとなる貼付票の表面図であり、（ｂ）は、切り離した受領票の表面図であり、（ｃ）は、切り離した受領票の側面図である。
【図５】本発明に係る配送伝票用ラベルの第１の実施の形態の複数個口に対応する構成例を示す表面図である。
【図６】本発明に係る配送伝票用ラベルの第２の実施の形態の構成を示す図であり、（ａ）は、表面図であり、（ｂ）は、裏面図である。
【図７】図１に示す貼付票ラベルおよび受領票ラベルに印字が施された状態を示す表面図である。
【図８】本発明に係る配送伝票用ラベルの第２の実施の形態における貼付動作を説明する説明図であり、（ａ）は、表面図であり、（ｂ）は、側面図であり、（ｃ）は、裏面図である。
【図９】本発明に係る配送伝票用ラベルの第２の実施の形態における受領票切り離し動作を説明する説明図であり、（ａ）は、受領票切り離し動作における荷物に貼付されたままとなる貼付票の表面図であり、（ｂ）は、切り離した受領票の表面図であり、（ｃ）は、切り離した受領票の側面図である。
【符号の説明】
【００３８】
１  台紙
１ａ  第１折り返し領域
１ｂ  第１被仮着領域
１ｃ  第２被仮着領域
１ｄ  第２折り返し領域
２  貼付票用ラベル
２ａ  貼付票貼付領域
２ｂ  貼付票切り離し領域
３  受領票用ラベル
３ａ  受領票切り離し領域
３ｂ  受領票貼付領域
４  兼用ラベル
１０  荷物
１１  第３切り離し加工線
１２  第１折り返し加工線
１３  第２折り返し加工線
２１  第１切り離し加工線
３１  第２切り離し加工線
【図１】
2008183749.tif 000003
【図２】
2008183749.tif 000004
【図３】
2008183749.tif 000005
【図４】
2008183749.tif 000006
【図５】
2008183749.tif 000007
【図６】
2008183749.tif 000008
【図７】
2008183749.tif 000009
【図８】
2008183749.tif 000010
【図９】
2008183749.tif 000011